(57)【要約】【課題】  切断材に載置するベースの下面側から鋸刃の下部が突き出された携帯用の電動丸鋸盤には、従来電源供給状態になると点灯する電源ランプを備えたものが提供されていなかった。【解決手段】  ベース２の上面側に支持された切断機本体のハンドル部の側面に電源ランプ２０を配置する。この位置であれば、当該電動丸鋸盤を上下にひっくり返した状態で設置しても電源ランプ２０を比較的視認し易い。この電源ランプ２０により、当該電動丸鋸盤１への電源供給状態を容易に確認することができる。【選択図】        図１
2005349699.tif 000002
【特許請求の範囲】
【請求項１】
切断材に載置するベースと、該ベースの上面側に支持された切断機本体を備え、該切断機本体は、電動モータのモータケースから延びるハンドル部と、前記電動モータを駆動源として回転する円形の切断刃と、該切断刃の上部を覆うブレードケースを備え、該切断刃の下部が前記ベースの下面側へ突き出された電動丸鋸盤であって、
前記ハンドル部の側面に、前記電動モータを駆動するための電源回路に電源が供給されると点灯する電源ランプを備えた電動丸鋸盤。
【請求項２】
請求項１記載の電動丸鋸盤であって、前記切断機本体は、前記ハンドル部に対して切断進行方向右側または左側に前記ブレードケースを備え、前記ハンドル部の該ブレードケースに対向する部位に電源ランプを配置して、該電源ランプが点灯するとその明かりが前記ブレードケースに反射して、前記電源ランプの点灯状態を間接的に視認可能な電動丸鋸盤。
【請求項３】
請求項１または２に記載した電動丸鋸盤であって、ベースの端部とモータケースの後端部を設置させた傾斜姿勢、またはハンドル部の上端部とモータケースの後端部を設置させた反転姿勢のいずれにおいても、電源ランプが設置面に対して上向きに指向される電動丸鋸盤。
【請求項４】
請求項１〜３のいずれか１項に記載した電動丸鋸盤であって、電源ランプは、前記ハンドル部の側面からはみ出す透明レンズを備え、該はみ出した部分は円錐形状を有し、その中心にＶ字形の凹部を有する電動丸鋸盤。
【発明の詳細な説明】
【技術分野】
【０００１】
この発明は、例えば携帯用の丸鋸盤であって、電源コードを電源コンセントに接続して用いる形態の電動丸鋸盤に関する。
【背景技術】
【０００２】
例えば、家屋の建築現場等において木材の切断作業に上記の携帯式の電動丸鋸盤が用いられる。この携帯式の電動丸鋸盤は、作業者が手に持って自由に持ち運ぶことができるので、作業場所へ持ち運んで近くの電源コンセントに電源コードを接続すれば電源が供給されて切断作業に用いることができる。
従来、作業現場へ持ち運んだ当該電動丸鋸盤の電源コードが電源コンセントに接続された状態であるか否かについては、作業者が電源コンセントの近くまで移動して接続状態を直接目で確認するか、若しくは当該電動丸鋸盤が備える起動スイッチをオン操作して鋸刃が回転するか否か（電源が供給された状態であるか否か）により確認していた。
これに対して、例えば特開平５−２００７０３号公報に開示されているように、木材の溝入れ加工等に用いられるいわゆるルータ等の一部の電動工具には、電源コードが電源コンセントに接続されてその電源回路に電源が供給されると点灯する電源ランプを装備したものが提供されていた。この電源ランプを備えたルータによれば、上記のように電源コンセント付近まで移動することなく、また試しに起動スイッチをオン操作してみることを行わなくても電源ランプの点灯状態を目視することにより電源供給状態を確認することができるので、上記のような本来必要のない余分な作業を行う必要がない。
【特許文献１】特開平５−２００７０３号公報
【特許文献２】特開平１０−４９０７７号公報
【発明の開示】
【発明が解決しようとする課題】
【０００３】
このように従来携帯式の電動丸鋸盤の場合には、上記ルータのような電源ランプを備えたものが提供されていなかった。その理由は、加工作業に使用しない場合の設置姿勢にあった。すなわち、上記ルータは、例えば作業台上に設置した姿勢、あるいは木材に対してセットした姿勢（以下、使用姿勢という）と、使用しない場合に作業台上あるいは他の部位に待機させておく場合の姿勢（以下、待機姿勢という）とが概ね同じであり、常時安定した姿勢で待機させておくことができる。このため、当該ルータの周囲から見やすい部位に電源ランプを配置しておけば、この電源ランプは使用時、待機時に関係なく使用者は電源ランプを容易に目視することができる。従って、上記のように電源コンセント付近まで近寄って電源コードの接続状態を直接目で確認したり、わざわざ起動スイッチをオン操作して電源供給状態を確認しなくともこの電源ランプの点灯状態を目視すれば電源供給状態を容易に確認することができる。
これに対して、上記の電動丸鋸盤は、切断作業時に切断材の上面に載置するベースの下面から円形の鋸刃の下部が突き出された構成を備えたものであるため、ベースの下面を下方に向けて正立させた切断加工時の使用姿勢（図４参照）と同じ姿勢で、作業台上に設置することができない。このため、当該電動丸鋸盤は、通常使用しない場合には、作業台等の上に斜めに持たせ掛けた姿勢（図５参照、以下傾斜姿勢という）あるいは上下にひっくり返した姿勢（図６参照、以下反転姿勢という）で置かれる。
このように、携帯式の電動丸鋸盤の場合は、その待機時の設置姿勢（傾斜姿勢、反転姿勢）が加工時の使用姿勢と大きく異なるばかりでなく、待機時の姿勢そのものが一定しないことが通常であるため、いずれの待機姿勢についても視認しやすい位置を設定することが困難であり、その結果従来電源供給状態を報知するための電源ランプを備えたものが提供されていなかった。
そこで、本発明は、使用姿勢あるいは傾斜姿勢だけでなく反転姿勢で設置した場合でも周囲から視認しやすい電源ランプを備えた電動丸鋸盤を提供することを目的とする。
【課題を解決するための手段】
【０００４】
このため、本発明は、特許請求の範囲の請求項に記載した構成の電動丸鋸盤とした。
請求項１記載の電動丸鋸盤によれば、電源ランプがモータケースから上方（ベースから離れる方向、以下同じ）へ延びる状態で設けられたハンドル部の側面に配置されているので、当該電動丸鋸盤を切断加工に使用する時の使用姿勢だけでなく、切断加工に使用しないために別の場所に上下にひっくり返した反転姿勢で一時的に置いておく場合にも、その点灯状態を周囲から容易に視認することができる。
また、電源ランプを備えているので、従来のように電源コンセント付近まで移動して電源コードが接続されていることを直接確認したり、起動スイッチをオン操作して電源が供給されているか否かを確認する手間を掛けることなく、当該電動丸鋸盤に対する電源供給状態を容易に知ることができる。
また、周囲から容易に視認できる電源ランプを備えていることにより、例えば当該電動丸鋸盤に加えて別の電動工具を複数用いる場合に、どの電源コードが当該丸鋸盤の電動工具であるのかの確認を電源ランプの点灯を視認することにより容易に行うことができ、これにより作業の迅速化を図ることができる。
請求項２記載の電動丸鋸盤によれば、電源ランプを直接視認できない位置からであっても、点灯時にはその明かりがブレードケースに反射されるので、当該電源ランプの点灯状態を間接的に目視することができ、従って上記従来のような手間を掛けることなく電源供給状態を容易に知ることができる。
請求項３記載の電動丸鋸盤によれば、通常使用者は当該電動丸鋸盤を見下ろす場合がほとんどであるので、常時当該電源ランプが常時使用者側の高さ方向に向けて指向されることとなり、これにより当該電源ランプのより一層高い視認性を確保することができる。
請求項４記載の電動丸鋸盤によれば、電源ランプの明かりを透明レンズ（半透明のレンズを含む）を経て正面および側方へも広角に放射することができるので、当該電源ランプの点灯状態を一層容易に確認することができる。
【発明を実施するための最良の形態】
【０００５】
次に、本発明の実施形態を図１〜図６に基づいて説明する。図１は、本実施形態の電動丸鋸盤１を示している。本実施形態は、電源コードを電源コンセントに接続して当該電動丸鋸盤１に起動用の電源が供給されると点灯する電源ランプ２０を備えた点に特徴を有するものであり、当該電動丸鋸盤１の基本的な構成については従来と同様で足り、特に変更を要しないが、以下簡単に説明する。
この電動丸鋸盤１は、切断材Ｗの上面に載置するベース２と、このベース２に対して支軸３を中心にして上下に傾動可能に支持した切断機本体５を備えている。切断機本体５は、内蔵した電動モータＭを駆動源として回転する円形の鋸刃４を備えている。図１中符号１１は、電動モータＭにより回転するスピンドル１１を示している。鋸刃４は、このスピンドル１１に取り付けられている。
この鋸刃４の下部は、ベース２の下面側から下方へ突き出されている。切断機本体５を支軸３を中心にして上下に傾動させることにより、この鋸刃４のベース２からの突き出し寸法を変更することができ、これにより鋸刃４の切断材Ｗに対する切り込み深さを調整することができる。
鋸刃４のベース２の下面から突き出された部分は、その周方向に沿って開閉可能に設けられたセーフティカバー１７によって覆われる。このセーフティカバー１７は、以下述べるブレードケース６に対して周方向に移動可能に支持されている。
図２に示すように、切断機本体５は、鋸刃４の上部を覆うブレードケース６を備えている。このブレードケース６は、適度な光沢を有するアルミニウム鋳物を素材として成形されている。このブレードケース６の裏面側に、ギヤケース部７が一体に形成されている。このギヤケース部７には、電動モータＭを内蔵したモータケース８が取り付けられている。電動モータＭの出力軸は、ギヤケース部７に収容した減速ギヤ列に連結されている。この減速ギヤ列の出力軸がスピンドル１１に連結されている。
モータケース８の前部（図２では下部）には、作業者が把持するためのハンドル部１０が設けられている。図１に示すようにこのハンドル部１０は、モータケース８から上方および後方へ張り出して概ねＤ字形に形成されている。このハンドル部１０の内周側には、トリガ形式の起動スイッチ９が配置されている。この起動スイッチ９を指先で引き操作すると、電動モータＭが起動して鋸刃４が回転する。
【０００６】
ハンドル部１０の後部であって、切断進行方向（図１および図２において右方）に向かって（ハンドル部１０を把持した使用者から見て、以下同じ）右側の側面に、電源ランプ２０が配置されている。また、同じくハンドル部１０の後部であって、切断進行方向に向かって左側の側面からは電源コード１２が引き出されている。ハンドル部１０の切断進行方向に向かって右側面に配置された電源ランプ２０は、ブレードケース６の背面に対向して配置されている。この電源ランプ２０の詳細が図３に示されている。
この電源ランプ２０は、回路基板２１に搭載した一つの発光ダイオード（ＬＥＤ２２）を光源として有している。回路基板２１およびＬＥＤ２２は、ハンドル部１０の内部に組み込まれている。ＬＥＤ２２の前方（図３において下方）には、概ね円柱体形状の透明レンズ２３が配置されている。この透明レンズ２３の後面（図３において上面）には、収容凹部２３ｂが形成されている。この収容凹部２３ｂ内に上記ＬＥＤ２２が進入している。
また、この透明レンズ２３の先端側は、ハンドル部１０の切断進行方向に向かって右側面に露出され、かつ同側面から突き出されている。図示するようにこの突き出された部分はその全周にわたって形成した傾斜面２３ｃにより円錐形状に形成されている。
さらに、この透明レンズ２３の先端面の中央には断面Ｖ字形（すり鉢形）の凹部２３ａが形成されている。これにより当該電源ランプ２０の正面および側方からもその点灯状態を確認することができる。
以上のように構成した電源ランプ２０は、前記電動モータＭの電源回路に組み込まれている。この電源回路は、上記電源コード１２を電源コンセント１３に接続すると、電源が供給される。電源回路に電源が供給されると、ＬＥＤ２２が点灯する。また、電源供給状態（ＬＥＤ２２が点灯した状態）で、起動スイッチ９をオン操作すると電動モータＭが起動して鋸刃４が回転する。
電源コンセント１３から電源コード１２を抜き取ると、電源回路への電源供給が遮断されて、ＬＥＤ２２が消灯する。
ハンドル部１０の前部には、照明スイッチ１５が配置されている。この照明スイッチ１５をオン操作すると、ブレードケース６内に配置した照明具１６が点灯する。この照明具１６は、切断部位に向けられている。このため、照明スイッチ１５をオン操作すると、切断部位が明るく照らされて、暗い作業場所でも切断部位を容易に目視することができる。この照明具１６への電源供給も、前記電源コード１２を電源コンセント１３に接続して電動モータＭの駆動用電源回路に電源を供給することによりなされる。
【０００７】
以上のように構成した本実施形態の電動丸鋸盤１によれば、電源コード１２を電源コンセント１３に接続すると、電源ランプ２０が点灯する。電源ランプ２０は、モータケース８から上方へ延びるハンドル部１０の切断進行方向右側面に配置されている。このため、図４に示す当該電動丸鋸盤１の使用姿勢および図５に示す傾斜姿勢のみならず、図６に示した反転姿勢で設置しても当該電源ランプ２０の点灯状態を容易に確認することができる。図５は、ベース２の端部とモータケース８の後端部を作業台Ｄ上に設置させた姿勢で電動丸鋸盤１を作業台Ｄ上に置いた状態を示している。また、図６は、図５に示す傾斜姿勢から上下に反転させてハンドル部１０の上部とモータケース８の後端部を作業台Ｄに設置させた反転姿勢で作業台Ｄ上に置いた状態を示している。
また、電源ランプ２０がブレードケース６の背面に対向する部位に配置されているので、直接電源ランプ２０を目視できない状態でも、電源ランプ２０の明かりをブレードケース６の背面に反射させて当該電源ランプ２０の点灯状態を間接的に確認することができる
さらに、図５および図６に示すように傾斜姿勢または反転姿勢に置いた場合には、いずれも当該電源ランプ２０が作業台Ｄの上面（設置面）に対して角度θだけ上向きに指向される。通常の作業場において使用者は当該電動丸鋸盤１を見下ろすことがほとんどであることを考慮すると、この点でも当該電源ランプ２０の高い視認性を確保することができる。
【０００８】
以上説明した実施形態には、種々変更を加えることができる。例えば、光源としてＬＥＤ２２を例示したが、これに代えて通常の電球を用いることもできる。
また、透明レンズ２３は、無色透明のものの他、半透明（有色透明）のものを用いることもできる。
さらに、作業台Ｄ上に置く場合に限らず、床上に置く場合、あるいは棚に置く場合にも同様の作用効果を得ることができる。
また、ハンドル部１０に対して切断進行方向右側にブレードケース６を備えた電動丸鋸盤１を例示したが、これとは逆にハンドル部に対して切断進行方向左側にブレードケースを備えた電動丸鋸盤の場合にも、ハンドル部の切断進行方向左側の側面に同様の電源ランプを設置する構成とすることにより同様の作用効果を得ることができる。
【図面の簡単な説明】
【０００９】
【図１】本実施形態の電動丸鋸盤の正面図である。本図は、図２の(1)-(1)線矢視図を示している。
【図２】本実施形態の電動丸鋸盤の平面図である。
【図３】図１の(3)-(3)線矢視図であって、電源ランプの横断面図である。
【図４】携帯式の電動丸鋸盤を切断進行方向後ろ側から見た図である。本図は、電動丸鋸盤を使用姿勢に位置させた状態を示している。
【図５】携帯式の電動丸鋸盤を切断進行方向後ろ側から見た図である。本図は、電動丸鋸盤を傾斜姿勢に位置させた状態を示している。
【図６】携帯式の電動丸鋸盤を切断進行方向後ろ側から見た図である。
【符号の説明】
【００１０】
１…電動丸鋸盤
２…ベース
３…支軸
４…鋸刃
５…切断機本体
６…ブレードケース
７…ギヤケース部
８…モータケース、Ｍ…電動モータ
１０…ハンドル部
１１…スピンドル
１２…電源コード
１３…電源コンセント
２０…電源ランプ
２１…回路基板
２２…ＬＥＤ（光源）
２３…透明レンズ、２３ａ…凹部（Ｖ字形）、２３ｂ…収容凹部
Ｗ…切断材
Ｄ…作業台
【図１】
2005349699.tif 000003
【図２】
2005349699.tif 000004
【図３】
2005349699.tif 000005
【図４】
2005349699.tif 000006
【図５】
2005349699.tif 000007
【図６】
2005349699.tif 000008